(57)【特許請求の範囲】
【請求項１】
挿入部と操作部からなるカバー用内視鏡と、
少なくとも前記挿入部を覆う挿入部カバーと、
前記挿入部カバーの手元側に操作部固定用口体部と、
を有するカバー式内視鏡において、
前記操作部の一部に前記挿入部の先端に設けられた起上台の起上操作を行う回転操作部材を設け、
前記回転操作部材を回転操作することで、前記操作部固定用口体部の一部を操作部に対し、回動方向及び挿入部長手方向に固定及び解除する
ことを特徴とするカバー式内視鏡。
【発明の詳細な説明】
【０００１】
【産業上の利用分野】
本発明は、カバー用内視鏡に内視鏡カバーを装着して内視鏡検査を行うカバー式内視鏡に関する。
【０００２】
【従来の技術】
従来、人体内の観察等に用いられる内視鏡は、体腔内への挿入部に体液等が付着するのを防止するために、挿入部に保護チューブを被せて用いられるものが知られており、例えば特公平２−５４７３４等には、内視鏡カバーをして使用するカバー式内視鏡の例が示されている。内視鏡の使用後は保護チューブが取り外され、新たな保護チューブと交換される。したがって挿入部が汚染されるのを防止することができ、それらを洗滌する必要がなく洗滌の手間が省ける。
【０００３】
具体的には、たとえばＵＳＰ４，８０９，６７８の図２にあるように観察光学系の前面に透明部を設けたカバーで挿入部全体を覆うようにしたものがある。これの挿入部カバーと内視鏡挿入部との固定は、カバー手元側に設けた弾性端の摩擦力がより行なわれていた。
【０００４】
ＵＳＰ４，８０９，６７８の図３のように内視鏡先端に交換可能な先端部カバーを設け、先端部カバーの手元側周囲を先端が開口した挿入部カバーの弾性端の摩擦力により固定したものもある。これの先端部カバーと内視鏡先端との固定方法に関する詳細は記載されていない。
【０００５】
【発明が解決しようとする課題】
しかしながら、従来は、挿入部を覆うカバーの手元口体部（筒体）は、内視鏡操作部又は挿入部手元側の一部に摩擦力で固定するようになっている。
【０００６】
一般に、カバーにも内視鏡挿入部にも、軸方向の長さにはばらつきがあるので、ユーザはカバーの張り具合が所望の状態になるような位置にカバー手元口体部を内視鏡手元側の一部に摩擦固定することを望む。張り具合がばらつくと、挿入部の可撓性や弾発性、湾曲機能もばらつき構造に支障をきたす恐れがでるためである。
【０００７】
しかし、摩擦力でカバー手元側と内視鏡手元側を固定していると、何等かの外力で、最初固定した理想位置よりずれてしまうという問題がある。
【０００８】
本発明は、上記事情に鑑みてなされたものであり、カバー手元口体部を容易な操作で内視鏡手元側に強固に固定したり解除したりすることのできるカバー式内視鏡を提供することを目的としている。
【０００９】
【課題を解決するための手段及び作用】
本発明によるカバー式内視鏡は、挿入部と操作部からなるカバー用内視鏡と、少なくとも前記挿入部を覆う挿入部カバーと、前記挿入部カバーの手元側に操作部固定用口体部とを有するカバー式内視鏡において、前記操作部の一部に前記挿入部の先端に設けられた起上台の起上操作を行う回転操作部材を設け、前記回転操作部材を回転操作することで、前記操作部固定用口体部の一部を操作部に対し、回動方向及び挿入部長手方向に固定及び解除することで、カバー手元口体部を容易な操作で内視鏡手元側に強固に固定したり解除したりすることを可能とする。
【００１０】
【実施例】
以下、図面を参照しながら本発明の実施例について述べる。
【００１１】
図１ないし図７は本発明の一実施例に係わり、図１はカバー式内視鏡の構成を示す構成図、図２は図１の先端カバーの光学面の断面を示す断面図、図３は図２の矢印Ａから見た矢視図、図４は図２のＢ−Ｂ線断面を示す断面図、図５は図４の断面における従来の管路の配置を示す断面図、図６は図１のカバー式内視鏡の作用を説明する説明図、図７は図６における起上ノブの断面を示す断面図である。
【００１２】
図１に示す本実施例のカバー式内視鏡１は、電子内視鏡で構成された内視鏡カバー用内視鏡（以下、カバー用内視鏡と略す）２と、このカバー用内視鏡２が装着されるチャンネル付き内視鏡カバー（以下、内視鏡カバーと略す）３とで構成される。
【００１３】
カバー用内視鏡２は、可撓性の挿入部４と、この挿入部４の後端に設けた操作部６と、この操作部６から延出し図示しない信号処理装置や光源装置及び送気送水装置に接続されるユニバーサルケーブル７とから構成される。
【００１４】
内視鏡カバー３の先端の先端カバー１３には、処置具起上台１４が設けられている。処置具起上台１４には起上ワイヤ１５が取り付けられ、起上ワイヤ１５の手元側には、第１のラック１６が取り付けられている。
【００１５】
先端カバー１３には、挿入部シース（以下、シース）１７が取り付けられ、シース１７には手元口体部１８（以下、口体部）が取り付けられている。口体部１８の内部にはシール部材１９が設けられ、シール部材１９は、口体部１８と操作部６又は挿入部の手元側の一部を気密的に摩擦保持可能である。ここで気密できることで、シース１７内を加圧して、シース１７にピンホールなどがないかの気密チェックができる。口体部１８には操作部カバー２１が取り付けられている。又、口体部１８の処置具挿入口２２より処置具を起上台１４に誘導できる。
【００１６】
口体部１８からは操作部６に向かって延出部２３が延出している。又、延出部２３の端部には、第２のラック２４が設けられている。
【００１７】
なお、口体部１８、延出部２３、第２のラック２４は別体で連結されていてもよいが、図のように一体であればカバーのコストを安くできる。また、第１のラック１６と第２のラック２４の凹凸部のピッチは同じでも、異なっていてもよい。
【００１８】
起上ワイヤ１５は、シース１７内、口体部１８内、延出部２３内を通って、延出部２３内にて第２のラック２４と接続されている（接続部が外部に出ていない方が、外部の何らかの作用で接続部が外れてしまうことを防げる）。
【００１９】
第１のラック１６及び起上ワイヤ１５は、口体部１８及びその延出部２３、第２のラック２４に対して移動可能で、それらが移動することで起上台１４を起上、倒置できる。
【００２０】
操作部６には軸２５が設けられ、軸２５には、軸２５周りに回転操作できる起上ノブ２６が設けられている。起上ノブ２６の一部にはピニオン２７が設けられ、ピニオン２７は第１のラック１６の凹凸と噛み合うことのできる凸凹部を有する。起上ノブ２６の近傍で第２のラック２４に対向する位置には、爪部２８が設けられている。爪部２８は、第２のラック２４と噛み合うことのできる形状の爪を有する。
【００２１】
図１の先端カバー１３の光学面の断面である図２に示すように、カバー用内視鏡２の先端構成部２９には、照明窓３０と観察窓３１があり、照明窓３０、観察窓３１と対向する部分の先端カバー１３には、透明カバー３２がある。観察窓３１近傍には流体を放出可能なノズル３３が形成され、ノズル３３のノズル上部３４は先端カバー１３と一体で形成され、ノズル３３のノズル下部３５は透明カバー３２と一体で形成されている。ノズル３３が観察窓３１上の透明カバー３２表面に対して向いている角度αは２０°程度が望ましい。
【００２２】
図２の矢印Ａから見た矢視図である図３に示すように、ノズル３３の開口幅は、透明カバー３２内の観察窓３１より見える、透明カバー３２上面における視野範囲３６の幅ｄと略同一である（観察窓３１の外径より大きい）。こうすることで、ノズル３３より水を放出した時に、視野範囲３６の全範囲を洗える。
【００２３】
図２の光学面より後方の軸に垂直なＢ−Ｂ線断面である図４に示すように、内視鏡チャンネル３７には先端構成部２９が回転不能にはまっている。その右側には、処置具管路３８、送気水管路３９、ワイヤ管路４０が設けられている。
【００２４】
２本の送気水管路３９（通常、１本は送気用、もう１本は送水用）は、従来は図５に示すように、横並びのレイアウトであった（上にワイヤ管路４０、下に処置具管路３９があるので）が、本実施例では、横並びを避けて、図４のように互いに斜め方向に配置している。もちろん、１つの送気水管路３９とワイヤ管路４０又は処置具管路３８も横並びを避けて、斜め方向か、上下方向の位置関係に配置している。これら管路３８，３９，４０は、シース１７内（カバー用内視鏡２の湾曲部を含む）においては、チューブで構成され、それらチューブが上記管路３８，３９，４０に気密的に接続されている。
【００２５】
なお、図１において、シース１７内の気密チェックをしないものであれば、シール部材１９は、口体部１８と操作部６との間の気密がとれないものでもよいし、シール部材１９そのものがないものでもよい。
【００２６】
次に、このように構成された本実施例のカバー式内視鏡１の作用について説明する。
【００２７】
内視鏡カバー３をカバー用内視鏡２に装着すると、口体部１８はシール部材１９によって、操作部６の一部に摩擦固定される。カバー用内視鏡２や内視鏡カバー３の挿入部長には、ばらつきがあるので、口体部１８は、操作部６のある長さの固定範囲内の任意の位置に摩擦固定できる。ユーザは、シース１７やシース１７内のチューブ類（管路３８，３９，４０など）の張り具合が適切と思われる位置に口体部１８を摩擦固定する。この摩擦固定の力量は、ユーザがスライド操作しやすいように、あまり重くない（強固な固定ではない）。しかし、この摩擦固定だけだと、起上台１４で処置具を起上させた時、つまり内視鏡カバー３内の起上ワイヤ１５が強く引っ張られた時に、口体部１８にもある程度の引っ張り力がかかり、口体部１８が、最初にセットした位置よりずれてしまい、シース１７やシース１７内のチューブ類の張り具合が変わって、挿入部機能や処置具起上機能に支障をきたすことがある。
【００２８】
そこで、本実施例の場合、口体部１８より延出した延出部２３の端部の第１のラック１６及び第２のラック２４が、カバー装着時に起上ノブ２６と爪部２８の間のスペースに入るようになっている。ここで起上ノブ２６を回転操作（起上操作）すると、起上ノブ２６のピニオン２７の凸凹が第１のラック１６の凹凸に噛み合うとともに、第１のラック１６及び第２のラック２４を少し下方に押すことによって、図６に示すように、第２のラック２４の凹凸が爪部２８の爪（又は凸凹）に噛み合う。このことによって、起上ノブ２６を回転操作している間は、口体部１８（第２のラック２４）が操作部６（爪部２８）に強固に固定された状態でピニオン２７の回転で第１のラック１６を前後に移動させ、起上ワイヤ１５を前後移動させることで、起上台１４を起上、倒置させることができる。
【００２９】
図７は図６の時の起上ノブ２６の断面であるが、第１のラック１６は、軸周りに回転しても常にピニオン２７と噛み合うように、略円柱状になっていて、その全周に凹凸が切られている。第２のラック２４の上部は凹状になっていて第１のラック１６が横すべりしないように受けている。
【００３０】
本実施例では、爪部２８に２つの爪を設けているが、爪は数が多くなる程、さらに確実に強固に口体部１８を操作部６に固定できる。又、爪の数が少ない程、例えば１つにすれば、操作部６の洗浄性が向上する。又、爪が複数の場合でも、本実施例のように、爪と爪の間隔があいていれば（第２のラック２４の凹凸のピッチの２倍，３倍…）、洗浄性はよくなる。
【００３１】
操作部６の外観部は樹脂でできているが、爪部２８はコストを安くするために操作部６と一体で成形してあってもよい。ただし、その場合、第２のラック２４（樹脂であることが多い）よりも硬い材質にしておく必要がある。それは、第２のラック２４がディスポ側であるのに対し、爪部２８はリュース側なので、数多くのカバーと組み合わせて使用する時に摩耗してしまわないためである。そこで、爪部２８を操作部６と別体にして、金属にしてしまえば、第２のラック２４（樹脂とする）より相対的にかなり硬くできるので都合がよい。
【００３２】
第１のラック１６及び第２のラック２４は、口体部１８の操作部６に対する固定範囲の分を考慮して長めに設けてある。従って、口体部１８が操作部６の固定範囲のどの位置に固定しても、爪部２８と第２のラック２４は噛み合うことができ、ピニオン２７と第１のラック１６と噛み合って最大起上操作が行える。
【００３３】
従って、本実施例のカバー式内視鏡１によれば、起上操作中は、口体部１８が操作部６に強固に固定され、起上機能、挿入部機能（可撓性、弾発性、湾曲機能など）を良好に保てる。
【００３４】
なお、挿入部４を、左右に湾曲させた時、図５のような従来の構造だと、送気水管路３９が横並びしているので、シース１７内の送気水管路３９につながっているチューブが、スコープ湾曲部の外側や内側にかさばってしまうので、十分な湾曲角が得られなかったり、湾曲操作力量が重くなったりする。本実施例では、送気水管路３９が横並びを避けるように配置されているので、シース１７内の送気水管路３９につながるチューブ類を、左右湾曲時に互いにかさばらず、湾曲機能が保てる。
【００３５】
次に本発明の参考例について説明する。
まず、第１参考例について説明する。図８ないし図１０は第１参考例に係り、図８はカバー式内視鏡の構成を示す構成図、図９は図８のＣ−Ｃ線断面を示す断面図、図１０は図８の矢印Ｄから見た矢視図である。
【００３６】
図８に示す第１参考例のカバー式内視鏡５１は、電子内視鏡で構成されたカバー用内視鏡５２と、このカバー用内視鏡５２が装着される内視鏡カバー５３とで構成される。
【００３７】
カバー用内視鏡５２は、可撓性の挿入部５４と、この挿入部５４の後端に折れ止め５５を介して設けた操作部５６と、この操作部５６から延出し図示しない信号処理装置や光源装置及び送気送水装置に接続されるユニバーサルケーブル５７とから構成される。カバー用内視鏡５２の先端部には図示しない先端構成部が設けられている。
【００３８】
カバー用内視鏡５２に装着された汚染防止用の内視鏡カバー５３は、カバー用内視鏡５２の挿入部５４を覆うシース５８と、折れ止め５５を覆うゴムなどの柔軟な樹脂がある折れ止めカバー５９と、操作部５６及びユニバーサルケーブル５７を覆う操作部カバー６０と、折れ止めカバー５９と操作部カバー６０の間に操作部５６の一部に固定する口体部（支持部）６１とからなっている。これら内視鏡カバー５３の各部は全て、内視鏡検査に使用される前に予め滅菌されているものが使用され、内視鏡検査に使用した後は廃棄される。
【００３９】
シース５８は、図示していないが、挿入部５５の先端部まで気密的に覆っている。シース５８と折れ止めカバー５９、折れ止めカバー５９と口体部６１は気密的に結合されている。口体部６１の一部にはシール部６２が設けてあり、口体部６１と操作部５７の気密が保てるようになっている。一方、操作部５７でシール部６２よりも前方には送気管路６３が設けられていて、この送気管路６３によりユニバーサルケーブル５７を介し送気送水装置（図示せず）から送気して、シース５８及び折れ止めカバー５９内を加圧でき、シース５８の気密チェックが行える。
【００４０】
図８のＣ−Ｃ線断面である図９に示すように、送気管路６３の開口部上の口体部６１の内壁の一部には、送気用溝６４が設けられ、送気が速やかにできるようにしている。
【００４１】
図８の上方すなわち矢印Ｄから見た矢視図である図１０に示すように、口体部６１のシール部６２の後方には、固定部６５が延出している。固定部６５には、固定用溝６６が設けられている。操作部５６には、固定用溝６６にはまるような位置にピン６７が設けられている。そして、ピン６７は偏平な形をしており、実線から破線へと回転操作できる。固定用溝６６には、複数の孔部６８が形成され、その孔部６８においてピン６７は図１０のごとく回転できる。
【００４２】
次に、このように構成されたカバー式内視鏡５１の作用について説明する。
【００４３】
図１０において、カバー挿着時、口体部６１を折れ止め５５を越えて操作部５６の一部にのり上げたところでピン６７が固定用溝６６にはまるようにする（図１０の実線）。固定用溝６６のいずれかの孔部６８においてピン６７を回転させる（図１０の破線）。すると、固定部６５の孔部６８がピン６７に対して前後にも回転方向にもほとんど動けないように固定される。このことによって口体部６１は操作部５６に対して軸方向にも軸周りの回転方向にも移動規制がなされ、検査中に口体部６１がずれて検査に支障をきたすことがない。
【００４４】
従って、第１参考例のカバー式内視鏡５１では、カバー用内視鏡５２に対して、口体部６１の移動規制が強固になされ、検査中に口体部６１が移動することなく、検査に支障がない。
【００４５】
なお、このような固定部６５をシール部６２の前に設けるのは気密確保が難しくなるので、シール部６２の後方が望ましい。
【００４６】
また、一般にカバー用内視鏡５１の挿入部５４の長さや、特に内視鏡カバー５３の軸方向の長さは個体差があるため、図１０のように、孔部６８が複数あることで、カバー用内視鏡５２に対して常に内視鏡カバー５３の挿入部５４を適切な張り具合で装着することが可能である。この張り具合が適切でないと、例えばシース５８がたるみすぎたり、逆に張力がかかりすぎたりして、所望の挿入部機能が出せないことがある。
【００４７】
さらに、口体部６１のシール部６２が操作部５６に対して、十分な摩擦保持力があれば、つまり軸方向に簡単には移動しないものであれば、固定部６５の孔部６８はなくして、ピン６７が通る固定用溝６６（または長穴）だけで回転方向の移動規制だけをしてもよい。
【００４８】
また、ピン６７のかわりに操作部５６の一部に設けた図示しないビスなどによって、ユーザがそのビスを回すことで、口体部６１を操作部６６に強固に固定できるようにしてもよい。
【００４９】
第１参考例では、折れ止め５５は、カバー用内視鏡単体の挿入部５４の折れ止め機能を持つが、図８のように、折れ止め５５の上に柔軟な折れ止めカバー５９があることで、カバー装着時の硬質の口体部６１と操作部５６による挿入部５４の折れ止め機能もはたしている。
【００５０】
従って、挿入部５４の操作部５６との連結部は、カバー装着時も、非装着時も折れが防止されている。
【００５１】
なお、折れ止めカバー５９は図８ではシース５８と別体であるが、シース５８端部を広げるような成形をして、シース５８と一体であってもよい（部品数が減り、コストダウンが可能となる）。
【００５２】
次に第２参考例について説明する。図１１及び図１２は第２参考例に係り、図１１は操作部の湾曲操作部の構成を示す断面図、図１２は図１１の湾曲操作部の変形例の構成を示す断面図である。第２参考例は第１参考例とほとんど同じであるので、異なる構成のみ説明する。
【００５３】
本第２参考例においては、図１１に示すように、操作部５６には、操作部５６内にある湾曲制御用のワイヤ（図示せず）と連動して回転可能な軸８１，８２が突設してある。又、操作部カバー６０には、それに対して各々回転可能な軸カバー８３，８４が一体的に設けてある。軸８２の上には、軸８２の回転の制動を制御できる制動ノブ８５があり、軸８１の下には軸８１の回転の制動を制御する制動ノブ８６がある。軸カバー８４の上には、ノブカバー８７が固着されている。軸８１，８２は多角形であったり、周方向に複数の凸部や凹部を有しており、軸カバー８３は軸８１に、軸カバー８４は軸８２に、互いに非回転にはまり合う形状をしている。
【００５４】
一方、上記の構成とは別体で湾曲ノブ８８，８９がある。軸カバー８３，８４の外周面は、多角形であったり、複数の凸部や凹部を有しており、湾曲ノブ８８は軸カバー８３に、湾曲ノブ８９は軸カバー８４に、それぞれ互いに非回転にはまり合う形状をしている。
【００５５】
これら軸カバー８３，８４と湾曲ノブ８８，８９は、金属や硬質樹脂又はゴムなどからできている。湾曲ノブ８８，８９の外周部は円形でもよいが、複数の指の掛けられる凹凸があると、操作しやすい。湾曲ノブ８８，８９は、操作部カバー６０、軸カバー８３，８４、ノブカバー８７と異なって、リュースで使用できる。湾曲ノブ８８，８９は、ユーザの手のサイズや好みの形に合わせて複数のバリエーションがあると、個々のユーザにとっての操作性を向上できる。ノブカバー８７は柔軟な樹脂でできていて、変形させながらノブカバー８７ごしに制動ノブ８５を操作できる。
【００５６】
このように構成された第２参考例では、操作部カバー６０を操作部５６に装着する時に、軸カバー８３，８４を軸８１，８２に接続する。次に湾曲ノブ８８，８９を軸カバー８３，８４に接続する。そうすることで、湾曲ノブ８８，８９を操作すると、軸カバー８３，８４を介して、軸８１，８２の回転を制御できる。操作部カバー６０の外で湾曲ノブ８８，８９を操作できるので、カバー式でない内視鏡と同等の良好な操作性が得られる。
【００５７】
１つの検査が終了したら、操作部カバー６０（軸カバー８３，８４を含む）はディスポなので捨てるが、湾曲ノブ８８，８９はリュースなので洗浄する。湾曲ノブ８８，８９を熱滅菌可能とすれば、短時間で滅菌でき、次の検査にすぐ使える。又、湾曲ノブ８８，８９を複数セット用意しておけば、前の検査で使った湾曲ノブ８８，８９を洗浄・消毒中に、別の新しい湾曲ノブ８８，８９を使って次の検査が行えるので効果的である。湾曲ノブ８８，８９がディスポで操作部カバー６０に一体的に設けられているものも考えられるが、第２参考例のような方式の方が、ディスポの部分の体積を減らせるので、ディスポのカバーコストを安くできる。又、軸カバー８３，８４、ノブカバー８７は各々一体的に操作部カバー６０に設けられているので、操作部カバー６０に開口はなく、カバーの脱着時でも外部環境からカバー用内視鏡１を汚染させずにすむ。
【００５８】
従って、カバー脱着時でも内視鏡を汚染せず、かつ湾曲操作を良好に行える。
【００５９】
なお、操作部５６の湾曲操作部の構成は、図１１に限らず、図１２のように構成しても良い。すなわち、図１２に示すように、操作部カバー６０に湾曲ノブ８８，８９が互いに回転可能で一体的に設ける。図１１で操作部５６に設けた軸８１，８２及び制動ノブ８５は、図１２では操作部５６とは別体の軸ユニット９１となっている。軸ユニット９１には、軸８１と連結した（又は一体の）フレーム軸９２、軸８２と連結した（又は一体の）フレーム軸９３が設けられている。
【００６０】
操作部５６内には、湾曲制御用ワイヤ（図示せず）と連結したスプロケット９４，９５がある。
【００６１】
又、上記の構造とは別体でノブカバー８７が、湾曲ノブ８９に着脱自在で設けられている。
【００６２】
軸ユニット９１の軸８１，８２、フレーム軸９２，９３の外周は多角形であったり、複数の凸部や凹部があり、湾曲ノブ８８，８９、スプロケット９４，９５の内周は、湾曲ノブ８８は軸８１に、湾曲ノブ８９は軸８２に、スプロケット９４はフレーム軸９２に、スプロケット９５はフレーム軸９３に、それぞれ互いに非回転に連結可能な形状となっている。
【００６３】
軸ユニット９１はリュースであり、ノブカバー８７はリュースでもディスポでもよい。
【００６４】
図１２に示した変形例では、操作部カバー６０を操作部５６に装着した時に、湾曲ノブ８８，８９の中央開口部より軸ユニット９１を挿入し、フレーム軸９２，９３をスプロケット９４，９５に接続すると同時に軸８１，８２を湾曲ノブ８８，８９に接続する。最後にノブカバー８７を制動ノブ８５に接続する。こうすることで、外観や湾曲ノブ８８，８９の操作性は、図１１の例とと同じになる。
【００６５】
図１１の例では、操作部５６より軸８１，８２及び制動ノブ８５が突設していたので、操作部カバー６０（及び軸カバー８３，８４）を装着する時はその突設した部分を乗り越えるようにしなければならないので、操作部カバー６０にはかなりのクリアランスを持たせなければならない。しかし、操作部カバー６０と操作部５６とのクリアランスが大きいと、装着後に、カバーのたるみなどの影響で、操作部の把持感が悪化したり、雑音が多くなったりすることがある。図１２の例では、軸ユニットが別体なので、操作部カバー６０と操作部５６とのクリアランスが小さくても、操作部カバー６０を操作部５６に装着可能で、装着後の把持感などの機能を確保できる。
【００６６】
ここで、カバー用内視鏡の先端部と内視鏡カバーのシース先端の先端カバーの固定法について、図１３ないし図１５を用いて述べる。
【００６７】
図１３は先端カバーが内視鏡先端部に強固に固定されている状態を示す図、図１４は図１３のＥ−Ｅ線断面を示す断面図、図１５は図１３のＦ−Ｆ線断面を示す断面図である。
【００６８】
図１３に示すように、内視鏡カバーのシース１００先端の先端カバー１０２のすぐ後ろには、回転体１０３があり、先端カバー１０２、回転体１０３はいずれもシース１００に強固に取り付けられている。
【００６９】
図１４に示すように、カバー用内視鏡の先端部１０１は断面がＤ型をしており、先端カバー１０２のＤ型孔１０４に非回転で嵌合している。一方、図１５に示すように、回転体１０３にもＤ型孔１０４と同一の形状のＤ型孔１０５がある。ただし、Ｄ型孔１０５はＤ型孔１０４より軸周りに角度θずれていることによって、Ｄ型孔１０５を形成している回転体１０３の一部が、先端部の一部に切られた切り欠き部１０６（図１３及び図１５）にはまり込み、そのことで先端部１０１は先端カバー１０２に強固に固定されている。湾曲時でも外れない。
【００７０】
上記状態より先端部１０１を先端カバー１０２から外す時、又は、挿入する時は、回転体１０３を右に角度θ分回して、Ｄ型孔１０５がＤ型孔１０４と合わせるようにする。回転体１０３より手を離せば、シース１００の弾力により、自然と回転体１０３は図１５のようになる。
【００７１】
従って、容易な操作で、内視鏡先端部とカバー先端部を強固に固定したり解除したりできる。
【００７２】
［付記］
（付記項１）前記挿入部カバーは処置具起上装置を備え、
前記回転操作部材は処置具起上操作ノブであり、前記処置具起上操作ノブを回転操作することで、前記処置具起上操作ノブと前記処置具起上装置とが接続するとともに、前記操作部が前記操作部固定用口体部を固定する
請求項１のカバー式内視鏡。
【００７３】
（付記項２）前記操作部の前記操作部固定用口体部の固定は、
前記操作部に設けた凸部又は凹部が、前記操作部固定用口体部に設けた凹部又は凸部に噛み合うことにより固定する
付記項１のカバー式内視鏡。
【００７４】
（付記項３）前記操作部に設けた前記凸部又は前記凹部は複数である
付記項２のカバー式内視鏡。
【００７５】
（付記項４）前記操作部に設けた前記凸部又は前記凹部は１つである
付記項２のカバー式内視鏡。
【００７６】
（付記項５）前記操作部の前記凸部又は前記凹部は、前記操作部と一体で成形されている
付記項２のカバー式内視鏡。
【００７７】
（付記項６）前記操作部の前記凸部又は前記凹部は、前記操作部と別体で設けた
付記項２のカバー式内視鏡。
【００７８】
（付記項７）  前記操作部の前記凸部又は前記凹部は、前記操作部固定用口体部の前記凹部又は前記凸部よりも硬質の材質からなる
付記項２のカバー式内視鏡。
【００７９】
（付記項８）前記操作部固定用口体部の前記凹部又は前記凸部は複数あり、前記凹部又は前記凸部の軸方向の長さは、前記操作部固定用口体部の前記カバー用内視鏡への固定範囲以上である
付記項２のカバー式内視鏡。
【００８０】
（付記項９）前記処置具起上操作ノブは複数の凹凸部を有し、
前記処置具起上装置の手元側接続部は複数の凹凸部を有し、
前記複数の凹凸部と前記複数の凹凸部とが噛み合うことで、前記処置具起上操作ノブと前記処置具起上装置が接続される
付記項１のカバー式内視鏡。
【００８１】
（付記項１０）前記操作部が前記操作部固定用口体部を固定する位置は複数ある
請求項１のカバー式内視鏡。
【００８２】
（付記項１１）前記操作部が前記操作部固定用口体部を回転方向にも固定する
請求項１のカバー式内視鏡。
【００８３】
（付記項１２）  挿入部と操作部からなるカバー用内視鏡と、
前記挿入部を覆う挿入部カバーと前記操作部を覆う操作部カバーとを有する内視鏡カバーと
を具備したカバー式内視鏡において、
前記操作部に突設した湾曲操作軸と、
前記操作部カバーに一体的に設けられ、前記操作部カバーに対して回転可能で、湾曲操作軸に連結可能な軸カバーと
を備え、
前記軸カバーに前記操作部及び前記操作部カバーとは別体の湾曲ノブを着脱自在に接続する
カバー式内視鏡。
【００８４】
従来は、内視鏡操作部の上からカバーをかぶせ、そのカバーの上から操作部上の湾曲ノブなどの操作をするため、操作がしずらい。又、操作部に対して湾曲ノブなどが着脱自在になっていて、その湾曲ノブなどを操作部のカバーの外から操作部に連結するものだと、操作部に開口をつくることになり、開口があると、カバーを内視鏡に脱着する際に、その開口より内視鏡を汚染する可能性がある。
【００８５】
付記項１２のカバー式内視鏡では、操作部を覆うカバーの一部に、そのカバーに対して回転可能で、操作部に設けた湾曲などを制御する軸部材に連結可能な固定部材を設け、回転部材に対して連結可能な操作部材を設け、回転部材を操作部の軸部材に連結し、回転部材に操作部材を連結して、操作部材を操作すことで、カバーの回転部材として操作部の軸部材を制御（湾曲などの制御）することを可能とする。
【００８６】
（付記項１３）着脱自在の前記湾曲ノブは、リュースである
付記項１２のカバー式内視鏡。
【００８７】
（付記項１４）前記湾曲ノブは熱滅菌可能である
付記項１３のカバー式内視鏡。
【００８８】
（付記項１５）前記軸カバー及び前記湾曲ノブは複数である
付記項１２のカバー式内視鏡。
【００８９】
（付記項１６）１つの前記軸カバーに、複数種類の前記湾曲ノブを着脱自在とした
付記項１２のカバー式内視鏡。
【００９０】
（付記項１７）前記湾曲操作軸の最上部には制動ノブがあり、
前記軸カバーの最上部には前記制動ノブを覆う制動ノブカバーが設けられた
付記項１２のカバー式内視鏡。
【００９１】
（付記項１８）前記操作部カバーの前記軸カバー近傍は、開口をなくした
付記項１２のカバー式内視鏡。
【００９２】
（付記項１９）  挿入部と操作部からなるカバー用内視鏡と、
処置具挿通管路と処置具起上ワイヤ管路と複数の送気水管路とを挿通し、前記挿入部を覆う挿入部カバーと
を有するカバー式内視鏡において、
前記複数の送気水管路が互いに横並びしないように、前記複数の送気水管路を前記挿入部カバー内に配置した
カバー式内視鏡。
【００９３】
従来のカバー式内視鏡では、２本の管路が横並びしていると、先端を左右に湾曲させた時に、２本の管路がかさばって、所望の湾曲角が出なかったり、重くなったりしていた。
【００９４】
付記項１９のカバー式内視鏡では、カバー内の２本の送気水管路の横並びを避けるようにそれら２本を配属することで、左右の湾曲時でも２本がかさばることなく、良好な湾曲機能を保つことを可能とする。
【００９５】
（付記項２０）前記複数の送気水管路の上部又は下部に前記処置具起上ワイヤ管路及び前記処置具挿通管路を配置した
付記項１９のカバー式内視鏡。
【００９６】
（付記項２１）前記複数の送気水管路は、前記処置具挿通管路及び前記処置具起上ワイヤ管路とも横並びしないよう配置した
付記項１９のカバー式内視鏡。
【００９７】
（付記項２２）前記複数の送気水管路は、互いに斜め方向に配置した
付記項１９のカバー式内視鏡。
【００９８】
（付記項２３）上記配置は、前記挿入部カバーのカバー先端部においてなされる
付記項１９のカバー式内視鏡。
【００９９】
【発明の効果】
以上説明したように本発明のカバー式内視鏡によれば、操作部の一部に設けられた、前記挿入部の先端に設けられた起上台の起上操作を行う回転操作部材を回転操作し、操作部固定用口体部の一部を操作部に対し、回動方向及び挿入部長手方向に固定及び解除するので、カバー手元口体部を容易な操作で内視鏡手元側に強固に固定したり解除したりすることができるという効果がある。
【図面の簡単な説明】
【図１】本発明の一実施例に係るカバー式内視鏡の構成を示す構成図
【図２】図１の先端カバーの光学面の断面を示す断面図
【図３】図２の矢印Ａから見た矢視図
【図４】図２のＢ−Ｂ線断面を示す断面図
【図５】図４の断面における従来の管路の配置を示す断面図
【図６】図１のカバー式内視鏡の作用を説明する説明図
【図７】図６における起上ノブの断面を示す断面図
【図８】本発明の第１参考例に係るカバー式内視鏡の構成を示す構成図
【図９】図８のＣ−Ｃ線断面を示す断面図
【図１０】図８の矢印Ｄから見た矢視図
【図１１】本発明の第２参考例に係る操作部の湾曲操作部の構成を示す断面図
【図１２】図１１の湾曲操作部の変形例の構成を示す断面図
【図１３】先端カバーが内視鏡先端部に強固に固定されている状態を示す図
【図１４】図１３のＥ−Ｅ線断面を示す断面図
【図１５】図１３のＦ−Ｆ線断面を示す断面図
【符号の説明】
１…カバー式内視鏡
２…カバー用内視鏡
３…内視鏡カバー
４…挿入部
５…折れ止め
６…操作部
７…ユニバーサルケーブル
１３…先端カバー
１４…処置具起上台
１５…起上ワイヤ
１６…第１のラック
１７…挿入部シース
１８…口体部
１９…シール部材
２１…操作部カバー
２２…処置具挿入口
２３…延出部
２４…第２のラック
２５…軸
２６…起上ノブ
２７…ピニオン
２８…爪部
２９…先端構成部
３０…照明窓
３１…観察窓
３２…透明カバー
３３…ノズル
３４…ノズル上部
３５…ノズル下部
３６…視野範囲
３７…内視鏡チャンネル
３８…処置具管路
３９…送気水管路
４０…ワイヤ管路
５１…カバー式内視鏡
５２…カバー用内視鏡
５３…内視鏡カバー
５４…挿入部
５５…折れ止め
５６…操作部
５７…ユニバーサルケーブル
５８…シース
５９…折れ止めカバー
６０…操作部カバー
６１…口体部
６２…シール部
６３…送気管路
６４…送気用溝
６５…固定部
６６…固定用溝
６７…ピン
６８…孔部
【図１】
0003619554.tif 000002
【図２】
0003619554.tif 000003
【図３】
0003619554.tif 000004
【図４】
0003619554.tif 000005
【図５】
0003619554.tif 000006
【図６】
0003619554.tif 000007
【図７】
0003619554.tif 000008
【図８】
0003619554.tif 000009
【図９】
0003619554.tif 000010
【図１０】
0003619554.tif 000011
【図１１】
0003619554.tif 000012
【図１２】
0003619554.tif 000013
【図１３】
0003619554.tif 000014
【図１４】
0003619554.tif 000015
【図１５】
0003619554.tif 000016